(57)【特許請求の範囲】
【請求項１】
基材テープに塗膜を設けた転写テープを繰出す繰出し部と、前記塗膜を被転写体に押圧して転写する転写ヘッドと、転写後の基材テープを巻き取る巻取り部を有し、前記転写ヘッドの左右のサイド部分が、弾性変形可能である形状であり、かつ前記転写ヘッドと前記塗膜転写具の本体が一体成形されている塗膜転写具において、前記転写ヘッドの幅方向で基材テープが走行しないところの転写ヘッドのサイド部分の左右のそれぞれの長さが３〜７ｍｍの範囲であることを特徴とする塗膜転写具。
【請求項２】
前記転写ヘッドの材質がＡＢＳであることを特徴とする請求項１記載の塗膜転写具。
【発明の詳細な説明】
【技術分野】
【０００１】
本発明は、基材テープに修正用塗膜、接着用粘着剤、装飾用塗膜等を設けた転写テープを被転写体に転写するために用いる塗膜転写具の転写ヘッドの技術分野に関する。
【背景技術】
【０００２】
従来の塗膜転写具の転写ヘッドは、前記転写ヘッドの先端部に押圧転写部が形成され、未使用の転写テープが走行する下面部および転写後の基材テープが反転して走行する上面部から構成されるとともに、前記転写ヘッドの下面部及び上面部の幅方向両端部に、転写テープの幅方向の揺動を規制するテープガイドが設けられている。一方近年塗膜転写具のコンパクト化あるいは転写テープの長尺化が要望されるようになってきており、それに伴い転写テープの薄膜化が求められている。転写テープの薄膜化のためには、基材テープも薄膜化する必要があり、基材テープとしてプラスチックフィルムが使用されている。このプラスチックフィルムを基材テープとする塗膜転写具において、転写テープの転写ヘッドからの逸脱を防止すべく、前記転写ヘッドの上面部において、互いのテープガイドが上方に向かって幅狭化する形状とすることが提案されている。（例えば特許文献１参照）
【０００３】
また、塗膜転写テープの緩みによる外れを可及的に防止すべく、転写ヘッドの上面部において互いに相対し、かつ先端部が押圧転写部より前方に突出したテープガイドも提案されている。（例えば特許文献２参照）
【先行技術文献】
【特許文献】
【０００４】
【特許文献１】特開平１０−２９７１７８号公報
【特許文献２】特開２０００−３１３１９７号公報
【発明の概要】
【発明が解決しようとする課題】
【０００５】
しかしながら、上記従来の塗膜転写具におけるテープガイドでは、基材テープとして薄いプラスチックフィルムを用いた場合、転写テープの裏面は離型剤処理を施しているために動摩擦係数が低くなっていることに加え、紙基材に比べて剛性が低いために、転写テープに幅方向の力が作用して、転写後の基材テープにおける幅方向の揺動を、テープガイドによって規制できても、前記押圧転写部において転写テープの揺動、蛇行を充分に規制できず、転写ヘッドから外れる不具合が発生し、走行不良や転写不良、強いては使用不可能になる場合があった。
【０００６】
また、転写ヘッドの上面部において互いに相対し、かつ先端部が押圧転写部より前方に突出したテープガイドを使用した場合であっても、転写テープの外れに有効であるが、前記先端部が押圧転写部より前方に突出したテープガイドが障害となって、例えば、塗膜転写具を被転写面に対して垂直な姿勢で転写させようとすると、塗膜が被転写面に接触せず、転写不良となってしまう場合があり、ある一定の角度でなければ転写操作ができないなど、塗膜転写具の転写角度が規制されてしまうという不具合があった。
【０００７】
本発明は、転写テープの基材として薄いプラスチックフィルムを用いた場合でも、転写テープを幅方向に揺動させる力が作用したとき、押圧転写部での転写テープの揺動・蛇行による外れを防止し、安定した転写テープの走行、転写作業および使用不可能状態の回避を行うができ、かつ通常の使用において塗膜転写具の転写角度の規制を受けることのない塗膜転写具の転写ヘッドを提供することを目的とするものである。
【課題を解決するための手段】
【０００８】
第１発明は、基材テープに塗膜を設けた転写テープを繰出す繰出し部と、前記塗膜を被転写体に押圧して転写する転写ヘッドと、転写後の基材テープを巻き取る巻取り部を有し、前記転写ヘッドの左右のサイド部分が、弾性変形可能である形状であり、かつ前記転写ヘッドと前記塗膜転写具の本体が一体成形されている塗膜転写具において、前記転写ヘッドの幅方向で基材テープが走行しないところの転写ヘッドのサイド部分の左右のそれぞれの長さが３〜７ｍｍの範囲である塗膜転写具である。ここで、サイド部分とは、転写ヘッドを被転写体に当てて塗膜を転写する際に、被転写体に接触する部分を指す。市販の塗膜転写具の転写ヘッドの左右の両端部には、アールが付いているので、一般には、見た目の転写ヘッドのサイド部分の長さ全体が被転写体に接触して押圧しているものではない。本願で言うサイド部分の長さにならないものが多い。
第２発明は、前記転写ヘッドの材質がＡＢＳである第１発明記載の塗膜転写具である。
【発明の効果】
【０００９】
転写ヘッドのサイド部分の長さを転写テープ幅より長くしているため、塗膜転写具を被転写体に押圧して引いた場合、塗膜転写具自身の蛇行が規制されるようになる。つまり、塗膜が直線に引かれるようになるので、結果として転写テープの蛇行が発生しなくなり、走行不良や転写不良を抑えることができる。さらに、製造コストを下げるために転写ヘッドを塗膜転写具の本体と一体成形されているものは、転写ヘッドが首振りして被転写体に馴染む形状のものに比べ、転写テープの走行不良が発生しやすいものであるが、本発明の転写ヘッドであれば、走行不良を著しく抑えることができる。
【図面の簡単な説明】
【００１０】
【図１】本発明の実施例である塗膜転写具の正面図および平面図である。
【図２】第２発明の実施例である塗膜転写具の正面図および平面図である。
【図３】図２の塗膜転写具の斜視図である。
【発明を実施するための形態】
【００１１】
図１は、本発明の塗膜転写具の正面図および平面図である。転写ヘッドは、転写ヘッドの軸心Ａに対して、回動可能となっている。いわゆる回転ヘッドと呼ばれるものである。塗膜転写具を使用する際に塗膜転写具本体が左右に振れても、回転ヘッドにより転写ヘッドの先端は、被転写体に均一に押圧することができるものである。基材テープの幅は、５ｍｍである。基材テープが走行しないところの転写ヘッドのサイド部分の長さは、それぞれ３．５ｍｍで従来の転写ヘッドの両サイドの長さに対して、長くしているので塗膜転写具を引く際に塗膜転写具自身が蛇行することなく直線に引きやすくなっている。
【００１２】
基材テープが走行しないところの転写ヘッドのサイド部分の左右のそれぞれの長さは、２〜１０ｍｍの範囲が好ましい。さらに好ましいのは、３〜７ｍｍの範囲とするとよい。特に好ましい範囲は、３．５〜５ｍｍの範囲とする。前記サイド部分の長さが２ｍｍ未満であると塗膜転写具の蛇行を抑制することが難しくなる。前記１０ｍｍ範囲を超えると、使用時又は保管時にサイド部分を破損する恐れがあり、ペンケース等に収納する際に、突起が出て収納しにくくなる。
【００１３】
図２は、第２発明の塗膜転写具の正面図および平面図である。転写ヘッドと本体は、一体成形されている。転写ヘッドは、樹脂でできていて樹脂の弾性変形により軸心Ｂに対して、図２で示す矢印の方向に若干上下に動くものとなっている。基材テープの幅は、  ５ｍｍである。基材テープが走行しないところの転写ヘッドのサイド部分の長さそれぞれは、３．５ｍｍで従来の転写ヘッドの両サイドの長さに対して、長くしている。
【００１４】
塗膜転写具の転写ヘッドと本体を一体成形しているものは、製造コストは安くできるものの、塗膜転写具の使用時に転写ヘッドが被転写体に均一に押圧することが難しく基材テープの蛇行が起こり易いものである。ところが、塗膜転写具のように転写ヘッドの両サイドの長さを長くしているものは、塗膜転写具を直線に引きやすく基材テープの蛇行が起こりにくいものとなっている。
【００１５】
転写ヘッドの基材テープが走行しない転写ヘッドのサイド部分を弾性変形可能とする形状は、一般的には、サイド部分の全体の太さを細くする形状が挙げられる。また、サイド部分の一部を括れたように細くしたりすることでも可能である。例えば基材テープの幅方向の端部とサイド部分の境界面におけるサイドの部分の一部を細くする形状がある。ただし、弾性変形可能とするために、サイド部分の形状を設計したとしても、被転写体に対して、転写ヘッドの接するラインは、全体に均一にあたる形状であることが望ましい。
【００１６】
転写ヘッドの材料としては、従来から種々の成形樹脂が使われている。例えば、ＰＥ（ポリエチレンン）、ＰＰ（ポリプロピレン）、ＡＳ（アクリロニトリルスチレン樹脂）ＡＢＳ（アクリロニトリルブタジエンスチレン樹脂）、ＰＯＭ（ポリアセタール）、ＰＡ（ポリアミド）、ＰＣ（ポリカーボネート）、ＰＰＳ（ポリフェニレンサルファイド）ＰＢＴ（ポリブチレンテレフタレート）、ＰＥＴ（ポリエチレンテレフタレート）、ＨＩＰＳ（ハイインパクトポリスチレン）等が挙げられる。
【００１７】
これらの中でも、転写ヘッドの材料として、特にＰＰは、両サイドの弾性変形量を調整しやすく、適度な剛性をもつ事から好ましい。図１に示す、転写ヘッドが回転ヘッドタイプでの使用が特に好ましい。
【００１８】
また、転写ヘッドと本体が一体成形された場合の転写ヘッドの材質としては、ＡＢＳは、両サイドの弾性変形量を調整しやすく、適度な剛性をもつことから好ましい。
【実施例】
【００１９】
実施例１
＜基材の離型処理＞厚さ１２μｍのＰＥＴフィルムの片面に下記に示すシリコーン樹脂液を乾燥後塗布量が約０．５ｇ／ｍ２になるように塗工し乾燥して離型層を形成した。
シリコーン樹脂液組成
成      分       重量部
シリコーン樹脂           ２０
白金触媒                   ０．２
トルエン                  ４０
キシレン                  ４０
シリカ（平均粒径１．５μｍ）０．２
【００２０】
前記ＰＥＴフィルムの反対面には前記シリコーン樹脂液からシリカ粒子を除いた組成のものを乾燥後厚さが約０．５μｍになるように塗工し、乾燥して背面側の離型層を形成した。
【００２１】
＜転写テープの作成＞前記基材の粒子を含有する離型層上に下記に示す白色顔料インクを乾燥後厚さが約２０μｍになるように塗工し、乾燥して隠蔽層を形成した。その上にアクリル系粘着剤を乾燥後厚さが約１μｍになるように塗工し、乾燥して感圧接着層を形成し、転写テープ原反を得た。
【００２２】
白色顔料インク組成
成分                    重量部
炭化水素系樹脂                ５
ＳＥＢＳ共重合体              ５
分散剤                        ２    
酸化チタン                  ３０
アルミニウム粉                ０．２
トルエン                    ５７
【００２３】
（１）比較例１の塗膜転写具
前記で得られた転写テープ原反について、幅５ｍｍにスリットしながら６ｍの長さをコアに巻き取りパンケーキ状のサンプルとした。前記パンケーキサンプルを市販の転写ヘッドと本体が一体成形されたジレット製の塗膜転写具に装填し、比較例１の塗膜転写具を得た。この塗膜転写具の転写ヘッド及び本体のケース、カバーの成形材料は、ＨＩＰＳである。ジレット製塗膜転写具の基材テープが走行しないところの転写ヘッドのサイド部分の左右のそれぞれの長さは、０．２ｍｍである。
【００２４】
（２）実施例１の塗膜転写具  
比較例１のパンケーキを収納する前の転写具を用いて、図２で表したように転写ヘッドのサイド部分のそれぞれの長さが３．５ｍｍに改造した試作転写具を用意した。転写ヘッドの材質は、ＡＢＳとした。試作転写具に比較例１と同様に同じパンケーキを収納して塗膜転写具を得た。
【００２５】
（３）実施例２の塗膜転写具
実施例１の転写ヘッドのサイド部分の左右のそれぞれの長さを５ｍｍにした以外は、実施例１と同様にパンケーキを収納して塗膜転写具を得た。
【００２６】
（４）実施例３の塗膜転写具
比較例１と同じ転写テープを用いて、幅５ｍｍにスリットしながら６ｍの長さをコアに巻き取りパンケーキ状のサンプルとした。図１で示す試作転写具にパンケーキサンプルを装填して、実施例３の塗膜転写具を得た。転写ヘッドは、回転ヘッドであり、転写ヘッドのサイド部分の左右のそれぞれの長さが３．５ｍｍである。転写ヘッドの材質は、ＰＰである。
【００２７】
評価方法
実施例１〜３、比較例１の塗膜転写具を使って、平成２２年発行の特許公報に記載された請求項の箇所で、１行４０文字の１０行分に対して、塗膜を連続転写させて転写された塗膜の蛇行を確認した。
【００２８】
表１  評価結果
0005606175.tif 000002
【符号の説明】
【００２９】
Ａ：軸心
Ｂ：軸心
【図１】
0005606175.tif 000003
【図２】
0005606175.tif 000004
【図３】
0005606175.tif 000005